(57)【要約】【課題】小型の照明ユニットを備えた照明装置を提供する。【解決手段】ＬＥＤ光源１２と当該ＬＥＤ光源１２が表面に実装されたアルミ基板１１Ａとを有する光源モジュール１１、ＬＥＤ光源１２の光を反射して出射開口１５Ａから出射させる反射鏡１３、及び、光源モジュール１１の熱を放熱する放熱器１６を備えた照明ユニット１０と、照明ユニット１０にリード線５０で接続され、照明ユニット１０に電流を供給する給電ユニット３０と、を備え、照明ユニット１０は、光源モジュール１１を、反射鏡１３と、放熱器１６とで挟んで、一体に固定して形成され、リード線５０は、アルミ基板１１Ａの端部に設けられた電源ターミナル２９にはんだ付けされている。【選択図】図１
2018077972.tif 000002
【特許請求の範囲】
【請求項１】
ＬＥＤ光源と当該ＬＥＤ光源が表面に実装されたアルミ基板とを有する光源モジュール、前記ＬＥＤ光源の光を反射して出射開口から出射させる反射鏡、及び、前記光源モジュールの熱を放熱する放熱器を備えた照明ユニットと、
前記照明ユニットにリード線で接続され、前記照明ユニットに電流を供給する給電ユニットと、を備え、
前記照明ユニットは、前記光源モジュールと、前記アルミ基板の裏面に面接触させた前記放熱器と、前記アルミ基板の表面に面接触させた前記反射鏡とが複数の螺子で一体に固定され、
前記リード線は、前記アルミ基板の縁部に設けられた接点にはんだ付けされている
ことを特徴とする照明装置。
【請求項２】
前記反射鏡は、前記アルミ基板に前記リード線をはんだ付けしたはんだを避ける凹み部を備え、前記凹み部が樹脂で充填されていることを特徴とする請求項１に記載の照明装置。
【請求項３】
前記放熱器には、自然対流を促すスリットが備えられていることを特徴とする請求項１または２に記載の照明装置。
【請求項４】
前記反射鏡には、前記出射開口側に、前記出射開口から出射する前記ＬＥＤ光源の光を拡散させる拡散部材が設けられていることを特徴とする請求項１乃至３のいずれかに記載の照明装置。
【請求項５】
前記給電ユニットには、複数の前記照明ユニットが接続され、前記給電ユニットは、各照明ユニットに定電流を供給する定電流回路を前記照明ユニット毎に備えていることを特徴とする請求項１乃至４のいずれかに記載の照明装置。
【請求項６】
複数の前記照明ユニットと、複数の前記定電流回路とを一対一で接続する複数のリード線を備え、各リード線は、前記給電ユニットに着脱可能に接続されていることを特徴とする請求項５に記載の照明装置。
【発明の詳細な説明】
【技術分野】
【０００１】
本発明は、発光素子を光源に採用した光源モジュールを備えた照明装置に関する。
【背景技術】
【０００２】
従来、自動車の衝突実験を行う際には、１秒間に５００〜１００００以上のコマ数を撮影し、映像を分析する高速度撮影を行っている。そして、自動車の衝突実験において、運転席付近の状況やエンジンルーム内等の車内の状況も撮影可能とするために、試験時の衝撃の影響を受けにくく、限られたスペースに設置可能な車室内高速度撮影用照明装置が用いられている（例えば、非特許文献１参照）。
【先行技術文献】
【非特許文献】
【０００３】
【非特許文献１】“手のひらサイズで10000Lx「車室内高速度撮影用LED照明ユニット」を開発”、[online]、２０１０年５月１９日、岩崎電気株式会社、[平成２８年１０月２０日検索]、インターネット＜ＵＲＬ：http://www.iwasaki.co.jp/whatsnew/release/2010/high-speed-led/＞
【発明の概要】
【発明が解決しようとする課題】
【０００４】
安全性向上のために、自動車の衝突実験において、例えば自動車のドア内部やインドアパネル内部等のさらに狭いスペース内での高速度撮影が求められている。上述した非特許文献に記載の照明装置では、ドア内部やインドアパネル内部等の狭いスペースに照明ユニットを配置する場合には、配置することができる場所が限定され、撮影対象から離れた場所に置かざるを得ない場合がある。照明ユニットを撮影対象から離れた場所に置いて用いることを考慮しなければいけない場合には、照明ユニットの出力も大きくする必要があり、装置の大型化やコスト高にも繋がっていた。
【０００５】
本発明は、上述した事情に鑑みてなされたものであり、小型の照明ユニットを備えた照明装置を提供することを目的とする。
【課題を解決するための手段】
【０００６】
上記目的を達成するために、本発明は、ＬＥＤ光源と当該ＬＥＤ光源が表面に実装されたアルミ基板とを有する光源モジュール、前記ＬＥＤ光源の光を反射して出射開口から出射させる反射鏡、及び、前記光源モジュールの熱を放熱する放熱器を備えた照明ユニットと、前記照明ユニットにリード線で接続され、前記照明ユニットに電流を供給する給電ユニットと、を備え、前記照明ユニットは、前記光源モジュールを、前記反射鏡と、前記放熱器とで挟んで、一体に固定して形成され、前記リード線は、前記アルミ基板の端部に設けられた接点にはんだ付けされていることを特徴とする。
【０００７】
また、本発明は、上記照明装置において、前記反射鏡は、前記アルミ基板に前記リード線をはんだ付けしたはんだを避ける凹み部を備え、前記凹み部が樹脂で充填されていることを特徴とすることを特徴とする。
【０００８】
また、本発明は、上記照明装置において、前記給電ユニットには、複数の前記照明ユニットが接続され、前記給電ユニットは、各照明ユニットに定電流を供給する定電流回路を前記照明ユニット毎に備えていることを特徴とする。
【０００９】
また、本発明は、上記照明装置において、複数の前記照明ユニットと、複数の前記定電流回路とを一対一で接続する複数のリード線を備え、各リード線は、前記給電ユニットに着脱可能に接続されていることを特徴とする。
【００１０】
また、本発明は、上記照明装置において、前記放熱器には、自然対流を促すスリットが備えられていることを特徴とする。
【００１１】
また、本発明は、上記照明装置において、前記反射鏡には、前記出射開口側に、前記出射開口から出射する前記ＬＥＤ光源の光を拡散させる拡散部材が設けられていることを特徴とする。
【発明の効果】
【００１２】
本発明によれば、照明ユニットは、光源モジュールを、反射鏡と、放熱器とで挟んで、一体に固定して形成され、リード線は、アルミ基板の端部に設けられた接点にはんだ付けされているため、配線用の構造部分を簡素化することができ、照明ユニットを小型化することができる。
【図面の簡単な説明】
【００１３】
【図１】本発明の実施形態に係る照明装置を示す斜視図である。
【図２】照明装置の設置状態を模式的に示す図である。
【図３】照明ユニットを示す３面図であり、（Ａ）は平面図、（Ｂ）は側面図、（Ｃ）は正面図である。
【図４】照明ユニットの断面図である。
【図５】照明ユニットの分解視図である。
【図６】光源モジュールの配線構造を示す斜視図である。
【発明を実施するための形態】
【００１４】
以下、本発明の実施の形態を、図面を参照しながら説明する。
図１は、本発明の実施の形態に係る照明装置１を示す斜視図であり、図２は、照明装置１の使用時の設置状態の一例を示す図である。
照明装置１は、自動車の衝突実験において、車室内を高速度撮影する際に撮影用カメラと組み合わせて用いられ、撮影対象を照明するための装置である。図１に示すように、照明装置１は、照明ユニット１０と、給電ユニット３０とを備えている。給電ユニット３０には、複数の照明ユニット１０が夫々リード線５０を介して接続されている。
【００１５】
給電ユニット３０は、電源線３５を介して不図示の電源に接続される。給電ユニット３０は、一般的な蓄電池を電源として、照明ユニット１０に電流を供給する構成とすることができる。また、給電ユニット３０に、衝突試験を実施する車両のカーバッテリーを電源として接続して、照明ユニット１０に電流を供給する構成であっても良い。
給電ユニット３０は、電源からの電流を複数の系統に分岐させる分岐回路３１と、分岐回路３１に接続される複数の定電流回路３３と、を備えている。給電ユニット３０には、複数の照明ユニット１０が、複数の定電流回路３３に対して一対一の関係となるように、接続されている。このように、照明ユニット１０と定電流回路３３とを一対で接続しているため、各照明ユニット１０に安定した電流を供給することができ、照明ユニット１０の照度を安定することができる。
【００１６】
各定電流回路３３から延出する接続用ケーブル３４には、コネクタ５５が接続されている。照明ユニット１０は、リード線５０が、コネクタ５５に着脱自在に接続可能に構成されている。コネクタ５５には、一般的な圧着コネクタ等の電線対電線接続コネクタを用いることができる。
【００１７】
図２に示すように、照明装置１は、給電ユニット３０が衝突試験を実施する車両１００の内部であって、衝突による衝撃の影響を受けにくく、また、衝突による周囲の損傷が少ない位置に配置される。例えば、給電ユニット３０は、車両１００のトランクルーム内部１０２に配置することができる。給電ユニット３０の各定電流回路３３から延びる接続用ケーブル３４には、照明ユニット１０から延びるリード線５０が、給電ユニット３０が配置されたトランクルーム内部１０２で、コネクタ５５によって接続される。つまり、各照明ユニット１０は、リード線５０と一体に、コネクタ５５に着脱自在に接続されるように構成されている。
【００１８】
照明ユニット１０は夫々、エンジンルーム内部１０１、ダッシュボード／インストルメントパネル内部１０３、ドアパネル内部１０４等の車両１００の内部スペースに設置される。各照明ユニット１０と、各定電流回路３３とを一対一で接続するリード線５０は、照明ユニット１０を所望の位置に配置することができる適宜の長さを有している。
このように車両１００の内部スペースに設置される照明ユニット１０は、車両１００の衝突実験による強い衝撃を受け、破損する場合がある。また、衝突実験によって、照明ユニット１０に接続されたリード線５０が断線する場合がある。
【００１９】
本実施形態では、照明ユニット１０とリード線５０とが一体に、コネクタ５５に着脱自在に接続されているため、衝突実験時に照明ユニット１０が破損したり、リード線５０が断線したりした場合には、簡単に照明ユニット１０とリード線５０とを一体に交換することができる。
また、給電ユニット３０には、複数の照明ユニット１０の夫々に一対一で接続される複数の定電流回路３３が備えられているため、一つの照明ユニット１０が衝突実験時の衝撃で破損、不点になっても、他の照明を使用することができ、一カ所の撮影箇所に複数の照明ユニットを配置することで、継続して撮影が可能である。
また、上述したように、定電流回路３３を給電ユニット３０内に設ける構成とした。これにより、各照明ユニット１０に定電流回路を設けるのに比べて、照明ユニット１０を小型化することができる。また、衝突実験時の衝撃で破損しやすく交換が必要となる照明ユニット１０を低コスト化することができる。
【００２０】
図３は、照明ユニット１０を示す図であり、図３（Ａ）は照明ユニット１０の平面図、図３（Ｂ）は照明ユニット１０の側面図、図３（Ｃ）は照明ユニット１０の正面図である。図４は、照明ユニット１０の断面図であり、図３（Ａ）のＩ−Ｉ断面図である。図５は、照明ユニット１０の分解斜視図である。
図３、図４、図５に示すように、照明ユニット１０は、光源モジュール１１と、放熱器１６と、反射鏡１３とを備えている。照明ユニット１０は、縦Ｌが１５ｍｍ以下、高さＨが１５ｍｍ以下、幅Ｗが１０ｍｍ以下に形成されている。光源モジュール１１と、放熱器１６と、反射鏡１３とは、夫々の高さＨ×幅Ｗ寸法が略等しい略矩形形状に形成され、上下に重ねて配置されている。
【００２１】
光源モジュール１１は、アルミニウムで形成された矩形板状のアルミ基板１１Ａと、アルミ基板１１Ａの表面１１Ｂに実装されたＬＥＤ光源１２と、を備えている。ＬＥＤ光源１２は、一般的な配光、例えばランベルト配光（コサイン配光）、のＬＥＤ１２Ａ（発光素子）と、ＬＥＤ１２Ａが実装される実装基板１２Ｂとから構成されている。アルミ基板１１Ａには、複数（本実施形態では３つ）のＬＥＤ光源１２が、アルミ基板１１Ａの長手方向に沿って、アルミ基板１１Ａの短手の略中央に一列に並べて設けられている。
【００２２】
放熱器１６は、アルミニウムなどの熱伝導性に優れ、軽量の材料から直方体形状に形成されている。放熱器１６は、受熱面１６Ａを、アルミ基板１１Ａの裏面１１Ｃに密接させている。また、放熱器１６は、受熱面１６Ａの裏面１６Ｂに、放熱器１６の長手に亘って溝状に設けられたスリット１７を備えている。ＬＥＤ光源１２の熱は、アルミ基板１１Ａを介して放熱器１６に伝熱され、放熱器１６から放熱される。スリット１７は、放熱器１６の周囲の空気の自然対流を促す機能を有している。これにより、放熱器１６は、自然対流を促すスリット１７によって空冷され、放熱器１６からＬＥＤ光源１２の熱を効率よく放熱させることができる。
【００２３】
反射鏡１３は、アルミニウムなどの熱伝導性に優れ、軽量の材料から直方体形状に形成されている。反射鏡１３には、外形を構成する直方体形状の材料を、表裏を貫通するように削って形成した反射面１４が設けられている。反射面１４の出射面側縁部は、照明ユニット１０の出射開口１５Ａを成している。
反射鏡１３は、アルミ基板１１Ａの表面１１Ｂに対向配置される背面１３Ｂの側に、アルミ基板１１Ａの表面１１Ｂに密接配置される反射鏡固定部２５を備えている。反射鏡固定部２５は、反射鏡１３の短手の両端部に、長手方向に沿って設けられている。ＬＥＤ光源１２の熱は、アルミ基板１１Ａの表面１１Ｂから、反射鏡固定部２５を介して反射鏡１３にも伝熱され、放熱器１６、及び、反射鏡１３から放熱される。
【００２４】
また、反射鏡１３の背面１３Ｂには、一対の反射鏡固定部２５の間に、長手方向に沿って延び、長手の両端面１３Ｃ，１３Ｃを貫通するように形成された第１の凹部２６を備えている。反射面１４の入射開口１５Ｂは、第１の凹部２６に開口している。アルミ基板１１Ａの表面に、反射鏡１３の反射鏡固定部２５を密接させた際には、アルミ基板１１Ａに実装されたＬＥＤ光源１２の実装基板１２Ｂが第１の凹部２６によって形成される反射鏡１３と、アルミ基板１１Ａとの間の隙間に配置される。また、この際に、アルミ基板１１Ａに実装されたＬＥＤ光源１２のＬＥＤ１２Ａが、第１の凹部２６に開口する入射開口１５Ｂから反射鏡１３内に挿入され、反射面１４に臨むように構成されている。
【００２５】
また、反射鏡１３は、一対の反射鏡固定部２５の間に、端面１３Ｃと、背面１３Ｂとを切り欠いて形成した第２の凹部２７を、長手の両端部に備えている。第２の凹部２７は、幅寸法ｗが第１の凹部２６と同じ寸法に形成され、高さ寸法ｈが第１の凹部よりも大きな寸法に形成されている。つまり、第２の凹部２７の上面２７Ａと、アルミ基板１１Ａの表面１１Ｂとの隙間は、第１の凹部２６の上面２６Ａと、アルミ基板１１Ａの表面１１Ｂとの隙間よりも大きくなるように構成されている。
【００２６】
反射鏡１３の反射面１４は、ＬＥＤ光源１２からのランベルト配光の光を反射して、光を拡散し、光のビーム角を拡げて出射開口１５Ａから出射させる機能を有する。反射面１４は、各ＬＥＤ光源１２からの光を拡散するように、各ＬＥＤ光源１２に対応させて形成された複数の放物面反射面を連続させた形態である。このように、各ＬＥＤ光源１２に対応させて形成された複数の放物面反射面を連続させ反射面１４を形成しているため、複数のＬＥＤ光源１２からの光が反射面１４で反射されて、ミキシングされ、出射開口１５Ａから出射する。これによって、照射面での、照射ムラを防止することができる。
【００２７】
反射鏡１３の正面１３Ａには、出射開口１５Ａを覆うカバー２８（拡散部材）が設けられている。カバー２８には、拡散フィルターを好適に用いることができる。このように出射開口１５Ａを光拡散機能を有するカバー２８で覆うことで、出射開口１５Ａから出射する光を拡散して至近距離の照射対象も均斉度良く照明することができる。カバー２８は、反射鏡１３の正面１３Ａに、例えば接着等の固定方法で固定されている。
【００２８】
照明ユニット１０は、光源モジュール１１と、放熱器１６と、反射鏡１３とが、一体に組み立てられて構成されている。光源モジュール１１、放熱器１６、及び、反射鏡１３は、熱伝導性に優れた材料から形成され、光源モジュール１１を、放熱器１６と、反射鏡１３との間に挟んだ状態で互いに連結固定されている。
放熱器１６、及び、光源モジュール１１には、裏面側から螺子２１が挿入される螺子孔１９Ａ，１９Ｂが４つの隅部に夫々設けられている。螺子２１は、螺子の頭部２１Ａが放熱器１６の裏面１６Ｂに係止され、軸部２１Ｂが放熱器１６、及び、光源モジュール１１の螺子孔１９Ａ，１９Ｂに貫通される。反射鏡１３には、４つの隅部に背面１３Ｂから螺子穴（不図示）が設けられている。放熱器１６と、光源モジュール１１と、反射鏡１３とは、反射鏡１３に設けられた螺子孔内部に形成された螺子山に、螺子２１の軸部２１Ｂを螺入させて、一体に組み立てられ、連結固定されている。
【００２９】
このように、照明ユニット１０は、光源モジュール１１と、放熱器１６と、反射鏡１３とを上下に重ねて一体に組み立てられている構成である。照明ユニット１０は、定電流回路などの電子回路を別体に備えた構成であるため、小型にすることができ、且つ、衝突実験時の衝撃に対しても損傷を受けにくくすることができる。
【００３０】
放熱器１６には、短手の両側面を貫通する取付孔１８が、長手方向に沿って複数並べて設けられている。照明ユニット１０は、この取付孔１８に通した所謂ケーブルタイ等の結束ひもによって、任意の位置に固定することができる。また、図示は省略するが、取付孔１８にロッド等の部材を通して固定し、当該部材に車室内高速度撮影用のカメラを取り付けて使用する構成であっても良い。
【００３１】
図６は、光源モジュール１１へのリード線５０の配線構造を示す図である。図６に示すように、光源モジュール１１には、アルミ基板１１Ａの短手略中央で、長手の端部に、電源ターミナル２９（接点）が設けられている。電源ターミナル２９には、リード線５０の芯線がはんだ付けされて接続されている。このように、光源モジュール１１にリード線５０をはんだ付けして接続する構成としたため、配線用の構造を簡素化することができ、照明ユニット１０の小型化を図ることができる。そして、照明ユニット１０を小型化することで、照明ユニット１０の配置場所が限定されることがなく、照明対象に近い位置に配置することができるため、光源の出力を大きくする必要もなく、照明ユニット１０をさらに小型化することができる。
【００３２】
ところで、反射鏡１３、アルミ基板１１Ａ、及び、放熱器１６は本実施形態では、金属で形成されている。このため、アルミ基板１１Ａにリード線５０をはんだ付けするために用いられる金属のはんだを絶縁する必要がある。上述したように、反射鏡１３には、第２の凹部２７が設けられ、リード線５０をアルミ基板１１Ａにはんだ付けして接続する電源ターミナル２９は、第２の凹部２７に対応する位置に設けられている。第２の凹部２７は、電源ターミナル２９にリード線５０をはんだ付けするはんだを避ける機能を有する。なお、第２の凹部２７は反射鏡１３の長手の両端部に設けられているため、方向性を気にすることなく、光源モジュール１１に対して取り付けることができる。
【００３３】
また、第２の凹部２７には、リード線５０と、電源ターミナル２９とがはんだ付けされて接続されている部位の周囲に絶縁樹脂が充填されている。これによって、リード線５０と、電源ターミナル２９とをはんだ付けするはんだを絶縁することができる。
このように、照明ユニット１０には、光源モジュール１１の電源ターミナル２９と、電源ターミナル２９にはんだ付けされたリード線５０との接続部位を避ける第２の凹部２７が設けられている。また、第２の凹部２７にはリード線５０の接続部位の周囲に絶縁性樹脂が充填されている。このように、第２の凹部２７に絶縁性樹脂を充填することで、導電部の絶縁と衝撃時のリード線への負荷軽減が図られると共に、反射鏡１３と光源モジュール１１との剛性を高めることができ、衝突実験時の衝撃の影響を受けにくくすることができる。
【００３４】
以上説明したように、本発明を適用した実施形態によれば、ＬＥＤ光源１２と当該ＬＥＤ光源１２が表面に実装されたアルミ基板１１Ａとを有する光源モジュール１１、ＬＥＤ光源１２の光を反射して出射開口１５Ａから出射させる反射鏡１３、及び、光源モジュール１１の熱を放熱する放熱器１６を備えた照明ユニット１０と、照明ユニット１０にリード線５０で接続され、照明ユニット１０に電流を供給する給電ユニット３０と、を備え、照明ユニット１０は、光源モジュール１１を、反射鏡１３と、放熱器１６とで挟んで、一体に固定して形成され、リード線５０は、アルミ基板１１Ａの端部に設けられた電源ターミナル２９にはんだ付けされている。
【００３５】
この構成によれば、照明ユニット１０は、光源モジュール１１を、反射鏡１３と、放熱器１６とで挟んで、一体に固定して形成されているため、照明ユニット１０を少ない部品で構成し小型化を図ることができる。また、リード線５０のアルミ基板１１Ａへの接続構造を簡素化することができるため、照明ユニット１０を小型化することができる。また、リード線５０をアルミ基板１１Ａにはんだ付けで接続するため、衝突実験時の衝撃によって接続が簡単に外れることがなく、衝突実験の衝撃を受けにくい構成とすることができる。
【００３６】
また、本発明を適用した実施形態によれば、反射鏡１３は、アルミ基板１１Ａにリード線５０をはんだ付けしたはんだを避ける第２の凹部２７を備え、第２の凹部２７が樹脂で充填されている。
この構成によれば、アルミ基板１１Ａにリード線５０をはんだ付けしたはんだを絶縁することができる。また、第２の凹部２７を樹脂で充填するため、導電部の絶縁と衝撃時のリード線への負荷軽減が図られると共に、モジュール１１と反射鏡１３との剛性を高めることができ、衝突実験の衝撃を受けにくい構成とすることができる。
【００３７】
また、本発明を適用した実施形態によれば、給電ユニット３０には、複数の照明ユニット１０が接続され、給電ユニット３０は、各照明ユニット１０に定電流を供給する定電流回路３３を照明ユニット１０毎に備えている。
この構成によれば、定電流回路３３と照明ユニット１０とが一対で接続されているため、一つの照明ユニット１０が衝突実験時の衝撃で破損、不点になったとしても、他の照明ユニットを継続して使用することができ、一カ所の撮影箇所に複数の照明ユニットを配置することで、継続して撮影が可能である。
【００３８】
また、本発明を適用した実施形態によれば、複数の照明ユニット１０と、複数の定電流回路３３とを一対一で接続する複数のリード線５０を備え、各リード線５０は、給電ユニット３０に着脱可能に接続されている。
衝突実験では、照明ユニット１０は、周囲の損傷が大きい場所にも配置されているため、破損、不点となりやすく、頻繁に交換が必要になることが考えられる。また、リード線５０は、衝突実験によって損傷を受ける車両の内部に配線されているため、断線が起こり易く、頻繁に交換が必要になることが考えられる。この構成によれば、照明ユニット１０をリード線５０と一体に簡単に交換することができ、照明装置１のメンテナンス性を向上することができる。
【００３９】
また、本発明を適用した実施形態によれば、放熱器１６には、自然対流を促すスリット１７が備えられている。この構成によれば、空冷用のファン等を照明ユニット１０に設ける必要がなく、放熱器１６を冷却することができるため、照明ユニット１０を小型化することができる。
【００４０】
また、本発明を適用した実施形態によれば、反射鏡１３には、出射開口１５Ａ側に、出射開口１５Ａから出射するＬＥＤ光源１２の光を拡散させるカバー２８が設けられている。この構成によれば、照明ユニット１０と、照射対象との距離が近い場合でも、照射範囲を確保することができ、ムラなく照射対象を照明することができる。
【００４１】
以上、実施形態に基づいて本発明を説明したが、本発明はこれに限定されるものではない。例えば、本実施形態では、光源にランベルト配光のＬＥＤを備えたＬＥＤ光源１２を用いる構成としたが、これに限らず、小型で所望の出力を得られる光源であれば、いかなる光源を用いても良いことは云うまでもない。
【符号の説明】
【００４２】
１  照明装置
１０  照明ユニット
１１  光源モジュール
１１Ａ  アルミ基板
１２  ＬＥＤ光源
１３  反射鏡
１５Ａ  出射開口
１６  放熱器
１７  スリット
２７  第２の凹部
２８  カバー（拡散部材）
３０  給電ユニット
３１  分岐回路
３３  定電流回路
５０  リード線
５５  コネクタ
【図１】
2018077972.tif 000003
【図２】
2018077972.tif 000004
【図３】
2018077972.tif 000005
【図４】
2018077972.tif 000006
【図５】
2018077972.tif 000007
【図６】
2018077972.tif 000008